(57)【要約】【課題】若干の誤差や歪み等があっても、側壁同士を互いに確実に突き合わせて、カバーを体裁よく本体部材に取り付けることができるとともに、組み付け作業を楽に行うことができるようにしたカバー取付構造を提供する。【解決手段】  本体部材９における側壁９ａの上端面と、それに対向するカバー１０における側壁１０ａの下端面とのいずれか一方に長手方向を向く係止突片１１を形成し、かつ他方に、外側に長手方向を向く外側突片１５を、また内側に外側突片１５に対向するとともに、互いに長手方向に間隔を置いた複数の係止爪１６をそれぞれ形成し、外側突片１５と係止爪１６との間に係止突片１１を嵌合する。【選択図】図３
2005160895.tif 000002
【特許請求の範囲】
【請求項１】
少なくとも上面が開口する本体部材に、その上面を覆うカバーを、本体部材における側壁の上端面に、カバーにおける側壁の下端面が突き合わされるようにして取付けるようにしたカバー取付構造において、
本体部材における側壁の上端面と、それに対向するカバーにおける側壁の下端面とのいずれか一方に長手方向を向く係止突片を形成し、かつ他方に、外側に長手方向を向く外側突片を、また内側に前記外側突片に対向するとともに、互いに長手方向に間隔を置いた複数の係止爪をそれぞれ形成し、前記外側突片と係止爪との間に前記係止突片を嵌合するようにしたことを特徴とするカバー取付構造。
【請求項２】
係止突片を、側壁の端面の外側の縁から、対向する外側突片の先端の厚さとほぼ同一距離だけ内側に寄った位置から立ち上がるように設けたことを特徴とする請求項１記載のカバーの取付構造。
【請求項３】
係止突片を、先端にいくほど薄くしたくさび形状に形成したことを特徴とする請求項１または２記載のカバーの取付構造。
【請求項４】
カバーと本体部材との中間部分を、締着手段により互いに締着するようにしたことを特徴とする請求項１〜３のいずれか１項に記載のカバー取付構造。
【請求項５】
本体部材を、椅子の背もたれの後面に取付けられたアウターシェルの下端から下前方に延出し、背もたれを椅子の支基に取付ける背杆の後部下面を覆う背杆下部カバーとし、かつカバーを、前記背杆下部カバーと対向して、背杆後部を上方より覆う背杆上部カバーとしたことを特徴とする請求項１〜４のいずれか１項に記載のカバー取付構造。
【発明の詳細な説明】
【技術分野】
【０００１】
本発明は、カバー取付構造、その一例として、椅子の背もたれを支持する背杆の後部上面を覆う背杆上部カバーを、背杆の後部下面を覆う背杆下部カバーに取付けるカバー取付構造に関する。
【背景技術】
【０００２】
従来、椅子の背もたれを支持する背杆をカバーにより覆う背杆カバー装置が種々提案されている（例えば、特許文献１参照）。
この背杆カバー装置は、背杆前面カバーの両側縁に係止突片を形成し、この係止突片を背杆後面カバーの両側縁に形成した溝部に係合させるようにしている。
【特許文献１】特許第３０１８２７８号公報（段落番号００２１、図４）
【発明の開示】
【発明が解決しようとする課題】
【０００３】
しかし、上記の特許文献に記載されている技術は、係止突片の厚さと溝部の幅に寸法誤差がある場合、例えば係止突片の方が大きすぎる場合は溝部に嵌合できず、逆に係止突片が小さすぎる場合は嵌合が弱く、両者間にがたが発生する。また、組み付けの際、係止突片が溝部に正確に位置決めされていないと嵌合が不能になるため、位置合わせが面倒である等の問題がある。
【０００４】
本発明は、従来の技術が有する上記のような問題点に鑑み、若干の誤差や歪み等があっても、側壁同士を互いに確実に突き合わせて、カバーを体裁よく本体部材に取り付けることができるとともに、組み付け作業を楽に行うことができるようにしたカバー取付構造を提供することを目的としている。
【課題を解決するための手段】
【０００５】
本発明によると、上記課題は、次のようにして解決される。
(１)  少なくとも上面が開口する本体部材に、その上面を覆うカバーを、本体部材における側壁の上端面に、カバーにおける側壁の下端面が突き合わされるようにして取付けるようにしたカバー取付構造において、本体部材における側壁の上端面と、それに対向するカバーにおける側壁の下端面とのいずれか一方に長手方向を向く係止突片を形成し、かつ他方に、外側に長手方向を向く外側突片を、また内側に前記外側突片に対向するとともに、互いに長手方向に間隔を置いた複数の係止爪をそれぞれ形成し、前記外側突片と係止爪との間に前記係止突片を嵌合するようにする。
【０００６】
(２)  上記(１)項において、係止突片を、側壁の端面の外側の縁から、対向する外側突片の先端の厚さとほぼ同一距離だけ内側に寄った位置から立ち上がるように設ける。
【０００７】
(３)  上記(１)または(２)項において、係止突片を、先端にいくほど薄くしたくさび形状に形成する。
【０００８】
(４)  上記(１)〜(３)項のいずれかにおいて、カバーと本体部材との中間部分を、締着手段により互いに締着するようにする。
【０００９】
(５)  上記(１)〜(４)項のいずれかにおいて、本体部材を、椅子の背もたれの後面に取付けられたアウターシェルの下端から下前方に延出し、背もたれを椅子の支基に取付ける背杆の後部下面を覆う背杆下部カバーとし、かつカバーを、前記背杆下部カバーと対向して、背杆後部を上方より覆う背杆上部カバーとする。
【発明の効果】
【００１０】
本発明によると、次のような効果を奏することができる。
(ａ)請求項１記載の発明によると、本体部材とカバーとのいずれか一方に設けた係止突片が、他方に設けた外側突片と複数の係止爪との間に嵌合することにより、カバーの側壁と本体部材の側壁とが側方にずれることなく、確実に突き合わされた状態で、カバーは体裁よく本体部材に装着される。
また、カバーと本体部材との側壁の対向部分に若干の誤差や歪み等があっても、係止突片の内側に係合する複数の係止爪は、側壁の縁の長手方向に間隔を置いて設けられているので、その間で上記の誤差や歪み等を吸収することができる。
したがって、係止突片を外側突片と複数の係止爪との間に容易に嵌合することができ、組み付け作業が楽になる。
【００１１】
(ｂ)請求項２記載の発明によると、外側突片の外側面が、突き合わされた相手側の側壁の外側面とぴったりと整合し、美麗な外観を呈することができる。
【００１２】
(ｃ)請求項３記載の発明によると、係止突片を先端にいくほど薄くしたくさび形状に形成したので、係止突片をくさび作用により強固に外側突片と係止爪との間に嵌合することができるとともに、係止突片を容易に外側突片と係止爪との間に嵌合することができる。
【００１３】
(ｄ)請求項４記載の発明によると、締着手段を締め付ければ締め付けるほど、カバーと本体部材との側壁の突き合わせた端面同士は互いに外側に開こうとするが、係止突片が外側突片と係止爪との間に嵌合していることにより、このような開きを防止することができ、常に美麗な外観を呈することができる。
【００１４】
(ｅ)請求項５記載の発明によると、カバーである背杆上部カバーと、本体部材である背杆下部カバーとにより、椅子における背もたれを支持する背杆の後下部を、上下から体裁よく覆うことができるとともに、組み付け作業性を向上することができる。また、背杆下部カバーをアウターシェルの下端に一体的に形成したので、部品点数の削減を図り、容易に製造することができる。
【発明を実施するための最良の形態】
【００１５】
以下、本発明のカバー取付構造の一実施形態である背杆カバーの取付構造を図面に基づいて説明する。
図１は、本発明の一実施形態を備えた椅子の側面図、図２は、同じく、背もたれ部分の分解斜視図、図３は、図２の要部の拡大斜視図、図４は、背杆カバーの拡大縦断正面図、図５は、背杆カバーの分解拡大縦断正面図である。
【００１６】
図１に示すように、この椅子は、脚(１)、脚(１)の中央より起立する支柱(２)、支柱(２)の上端に取付けられた座(３)、および座(３)の後方に設けられた背もたれ(４)を備えている。背もたれ(４)は、支柱(２)の上部に前端部が取付けられた背杆(５)と、この背杆(５)に取付けられた背もたれシート(６)と、背もたれシート(６)の背面に取付けられたアウターシェル(７)とを備えている。
【００１７】
図２に示すように、背杆(５)は、前方を向く前杆部(5a)と、この前杆部(5a)の後部から起立する後杆部(5b)とからなるほぼＬ字形の左右１対の管材の複数箇所を、左右方向を向く連結部材(5c)をもって互いに連結したもので、後杆部(5b)の前部に背もたれシート(６)が取付けられている。
【００１８】
背もたれシート(６)の背面には、後杆部(5b)を覆うようにアウターシェル(７)が係止片(８)をもって取付けられている。アウターシェル(７)の下端には、背杆(５)の前杆部(5a)を後面から下面にかけて覆う背杆下部カバー(９)が一体的に設けられている。この背杆下部カバー(９)（本体部材）の上面には、背杆(５)の前杆部(5a)の後部上面を覆う背杆上部カバー（カバー）(10)が設けられている。
【００１９】
図３、図４および図５に示すように、背杆下部カバー(９)の左右両側には上方に立ち上がる側壁(9a)が形成され、この側壁(9a)の上端面には、長手方向を向く係止突片(11)が形成されている。
【００２０】
この係止突片(11)の内面は側壁(9a)の内面と同一面をなし、外側は側壁(9a)から段部(12)を介して段落ちされ、これにより側壁(9a)より小さい厚さとなっている。
すなわち、係止突片(11)は、側壁(9a)の端面の外側の縁から、後述する対向する外側突片(15)の先端の厚さとほぼ同一距離だけ内側に寄った位置から立ち上がるように設けられている。
係止突片(11)は、上方にいくほど厚さが漸次薄くなるくさび形状とするのが好ましい。背杆下部カバー(９)の底部には、左右１対の取付孔(13)が形成されている。
【００２１】
背杆上部カバー(10)の左右両側には、下向きの側壁(10a)が形成され、この側壁(10a)の下端面に係止部(14)が形成されている。この係止部(14)は、側壁(10a)の外側に形成された長手方向を向く外側突片(15)と、この外側突片(15)に対向するとともに、互いに長手方向に間隔を置いて内側に形成された弾性変形可能な複数の係止爪(16)とにより構成されている。背杆上部カバー(10)の上部には、左右１対のねじ孔付きボス(17)が形成されている。
【００２２】
アウターシェル(７)を背もたれ(４)の背面に取付けることにより、背杆下部カバー(９)をもって背杆(５)の前杆部(5a)の後部から下部にかけてが覆われる。この背杆下部カバー(９)上に背杆上部カバー(10)を取付けることにより、背杆(５)の前杆部(5a)の後部上面が背杆上部カバー(10)により覆われる。
【００２３】
背杆上部カバー(10)を取付けるには、外側突片(15)と係止爪(16)との間を係止突片(11)に当てて押し込む。これにより、図４に示すように、係止爪(16)の弾性力で外側突片(15)との間に係止突片(11)が狭持されて係止される。
【００２４】
背杆下部カバー(９)の取付孔(13)からボス(17)に止めねじ(18)をねじ込み、背杆下部カバー(９)の底部を締め付けて固定する。ボス(17)により背杆上部カバー(10)と背杆下部カバー(９)の間隔が決められ、ねじ締めにより両部材(10)(９)が大きく変形することが防止できる。
【００２５】
上記のように、係止部(14)の内側を、長手方向に間隔を置いた複数の係止爪(16)で構成することにより、係止突片(11)は係止爪(16)によりいわば点で支持され、それらの間の空隙部分と係止爪(16)の弾性とにより、係止突片(11)等の加工誤差や位置決め誤差等を吸収して柔軟に対応でき、常に確実な係合が可能となる。
【００２６】
なお、係止突片(11)を先端にいくほど薄くしたくさび形状とすることにより、係止突片(11)をくさび作用により強固に外側突片(15)と係止爪(16)との間に嵌合することができるとともに、係止突片(11)を容易に外側突片(15)と係止爪(16)との間に嵌合することができる。
【００２７】
また、止めねじ(18)により背杆上部カバー(10)を締め付けると、僅かであるが、ボス(17)の変形により背杆上部カバー(10)の側壁(10a)の下端が外側に開こうとする変形力が加わり、背杆下部カバー(９)と背杆上部カバー(10)との突合せ部(19)(図４参照)が開こうとする。ところが、係止爪(16)で内側を保持しているため、この変形力に対抗でき、突合せ部(19)に大きな隙間ができることが防止される。
【００２８】
上記実施形態では、カバー取付構造を背杆カバーに適用した例を示したが、これに限定されず、例えば、座席シートの下面をカバーする座席下面カバー、あるいは椅子以外でもカバーが設けられる所望の物品に適用可能である。
【００２９】
特に、カバーと本体部材との中間部分を、締着手段により互いに締着するようにしたものに適用すると、締着手段の締め付け時に、カバーと本体部材との側壁の突き合わせた端面同士が互いに外側に開こうとするのを効果的に防止することができるので、有意義である。
【図面の簡単な説明】
【００３０】
【図１】本発明の一実施形態を備えた椅子の側面図である。
【図２】同じく、背もたれ部分の分解斜視図である。
【図３】同じく、図２の要部の拡大斜視図である。
【図４】同じく、背杆カバーの拡大縦断正面図である。
【図５】同じく、背杆カバーの分解拡大縦断正面図である。
【符号の説明】
【００３１】
(１)脚
(２)支柱
(３)座
(４)背もたれ
(５)背杆
(5a)前杆部
(5b)後杆部
(5c)連結部材
(６)シート
(７)アウターシェル
(８)係止片
(９)背杆下部カバー（本体部材）
(9a)側壁
(10)背杆上部カバー（カバー）
(10a)側壁
(11)係止突片
(12)段部
(13)取付孔
(14)係止部
(15)外側突片
(16)係止爪
(17)ねじ孔付きボス
(18)止めねじ
(19)突合せ部
【図１】
2005160895.tif 000003
【図２】
2005160895.tif 000004
【図３】
2005160895.tif 000005
【図４】
2005160895.tif 000006
【図５】
2005160895.tif 000007